(57)【要約】【課題】作業安定性の向上を図りつつ、スナップファスナーの取付けの際の皺の発生を簡便に防止、軽減することのできる皺防止治具及びスナップファスナー取付け機を提供すること。【解決手段】先端が尖った突起５ａを有するリベット部材５を保持するための第１保持具６と、前記突起５ａに挿通させるための貫通孔３ａを中心部に有する嵌合用部材３を保持するための第２保持具７とを具備し、前記第１保持具６及び第２保持具７は、前記リベット部材５及び前記嵌合用部材３を相互に対向する位置に保持するために用いられ、前記第１保持具６は、保持した前記リベット部材５の突起５ａの先端よりも先方に突出する状態で該リベット部材５を囲むように配された弾性リング８を有し、前記第２保持具７は、保持した前記嵌合用部材３の先端面よりも先方に突出する状態で該嵌合用部材３を囲むように配された弾性リング９を有する。【選択図】図２
2018117766.tif 000002
【特許請求の範囲】
【請求項１】
先端が尖った突起を有するリベット部材を保持するための第１保持具と、前記突起に挿通させるための貫通孔を中心部に有する嵌合用部材を保持するための第２保持具とを具備し、
前記第１保持具及び第２保持具は、前記リベット部材及び前記嵌合用部材を相互に対向する位置に保持するために用いられ、
前記第１保持具は、保持した前記リベット部材の突起の先端よりも先方に突出する状態で該リベット部材を囲むように配された弾性リングを有し、
前記第２保持具は、保持した前記嵌合用部材の先端面よりも先方に突出する状態で該嵌合用部材を囲むように配された弾性リングを有する皺防止治具。
【請求項２】
前記第１保持具の前記弾性リングと、前記第２保持具の前記弾性リングとは、外径が異なっている請求項１に記載の皺防止治具。
【請求項３】
シート状部材を挟む位置にあるリベット部材及び嵌合用部材を接近移動させ、前記リベット部材の突起を前記シート状部材に突き刺すと共に前記嵌合用部材の中心部に設けられている貫通孔に挿通させ、前記突起の先端部を打撃して拡径変形させることにより、前記リベット部材と前記嵌合用部材とを前記シート状部材を挟んだ状態でカシメ止めするように構成されたスナップファスナー取付け機であって、
請求項１または２に記載の皺防止治具により、前記リベット部材及び前記嵌合用部材を保持するように構成されたスナップファスナー取付け機。
【発明の詳細な説明】
【技術分野】
【０００１】
本発明は、例えば、スナップファスナー（プラスチックスナップ他）を布地等に取り付ける際に用いる皺防止治具及びスナップファスナー取付け機に関する。
【背景技術】
【０００２】
従来のスナップファスナーの取付けは、図３（Ａ）に示すように、上型カシメパンチ治具（第１カシメパンチ治具）１と下型カシメパンチ治具（第２カシメパンチ治具）２とによって構成されるカシメパンチ治具を用いて行う。すなわち、このカシメパンチ治具は、スナップファスナー取付け機の上下受具Ａ，Ｂにセットされ、図示例では、昇降駆動される上型受具Ａに上型カシメパンチ治具１がセットされ、下型受具Ｂに下型カシメパンチ治具２がセットされる。
【０００３】
そして、上型カシメパンチ治具１に嵌合用部材（雌型スナップ）３を嵌め込む（保持させる）一方、下型カシメパンチ治具２にシート状部材（布地等）４を抜き易くするための鋭利な突起５ａの付いたリベット部材（リベット型スナップ）５を嵌め込み（保持させ）、下型カシメパンチ治具２の上にシート状部材４を載せる。
【０００４】
この状態で、スナップファスナー取付け機の受具Ａが下降（カシメ動作）する一連の作動により（図３（Ｂ）及び図４（Ａ）参照）、シート状部材４はリベット部材５の突起５ａにより打ち抜かれ、突起５ａの先端部は、嵌合用部材３の貫通孔３ａを挿通した後、下死点に達したところで上型カシメパンチ治具１の打撃を受けて拡径変形する（カシメられる）。すなわち、嵌合用部材３及びリベット部材５はこのような１サイクルの取付け作業によってシート状部材４に取り付けられた状態になる（特許文献１〜３）。
【先行技術文献】
【特許文献】
【０００５】
【特許文献１】特開２０００−１７５７１０号公報
【特許文献２】特開平１１−１８１２号公報
【特許文献３】特開２０１６−１４１９０７号公報
【発明の概要】
【発明が解決しようとする課題】
【０００６】
しかし、上記従来の取付け方法では、リベット部材５の突起５ａが、シート状部材４を打ち抜く際に嵌合用部材３の貫通孔３ａにシート状部材４を引っ張り込むように作用するので、シート状部材４におけるスナップファスナーを取り付けた位置の周辺に皺Ｗが寄ってしまう恐れがある（図４（Ｂ）参照）。そこで、特に皺の入り易い布地にスナップファスナーを取り付ける際には、例えば作業者が両手で布地を引っ張りながら上記の取付け作業を行うことが考えられるが、この方法では、非常に作業効率が悪く、作業者に掛かる負担も大きくなって量産に不向きとなる上、作業者の熟練度等によって取付け作業後のシート状部材４における皺の入り方等にばらつきが生じ兼ねないという問題もある。
【０００７】
本発明は上述の事柄に留意してなされたもので、その目的は、作業安定性の向上を図りつつ、スナップファスナーの取付けの際の皺の発生を簡便に防止、軽減することのできる皺防止治具及びスナップファスナー取付け機を提供することにある。
【課題を解決するための手段】
【０００８】
上記目的を達成するために、本発明に係る皺防止治具は、先端が尖った突起を有するリベット部材を保持するための第１保持具と、前記突起に挿通させるための貫通孔を中心部に有する嵌合用部材を保持するための第２保持具とを具備し、前記第１保持具及び第２保持具は、前記リベット部材及び前記嵌合用部材を相互に対向する位置に保持するために用いられ、前記第１保持具は、保持した前記リベット部材の突起の先端よりも先方に突出する状態で該リベット部材を囲むように配された弾性リングを有し、前記第２保持具は、保持した前記嵌合用部材の先端面よりも先方に突出する状態で該嵌合用部材を囲むように配された弾性リングを有する（請求項１）。
【０００９】
上記皺防止治具において、前記第１保持具の前記弾性リングと、前記第２保持具の前記弾性リングとは、外径が異なっていてもよい（請求項２）。
【００１０】
一方、上記目的を達成するために、本発明に係るスナップファスナー取付け機は、シート状部材を挟む位置にあるリベット部材及び嵌合用部材を接近移動させ、前記リベット部材の突起を前記シート状部材に突き刺すと共に前記嵌合用部材の中心部に設けられている貫通孔に挿通させ、前記突起の先端部を打撃して拡径変形させることにより、前記リベット部材と前記嵌合用部材とを前記シート状部材を挟んだ状態でカシメ止めするように構成されたスナップファスナー取付け機であって、請求項１または２に記載の皺防止治具により、前記リベット部材及び前記嵌合用部材を保持するように構成されている（請求項３）。
【発明の効果】
【００１１】
本願発明では、作業安定性の向上を図りつつ、スナップファスナーの取付けの際の皺の発生を簡便に防止、軽減することのできる皺防止治具及びスナップファスナー取付け機が得られる。
【００１２】
すなわち、本願の各請求項に係る発明の皺防止治具では、第１保持具、第２保持具に設けられた弾性リングによりシート状部材をしっかりと挟み込んだ状態で保持し、この状態で突起によるシート状部材の打ち抜きを行うことにより、作業安定性の向上を図りつつ、突起による打ち抜きに伴うシート状部材における皺の発生を防止、軽減することができる。
【図面の簡単な説明】
【００１３】
【図１】（Ａ）〜（Ｃ）は、本発明の一実施の形態に係るスナップファスナー取付け機による一連の作業工程の構成を概略的に示す説明図である。
【図２】（Ａ）は前記スナップファスナー取付け機の取付け対象とするスナップファスナーの構成を概略的に示す説明図、（Ｂ）及び（Ｃ）は前記スナップファスナー取付け機の要部の作動を概略的に示す説明図である。
【図３】（Ａ）は従来のスナップファスナー取付け機の構成を概略的に示す縦断面図、（Ｂ）はこのスナップファスナー取付け機において上型カシメパンチ治具と下型カシメパンチ治具とを接近させたときの構成を概略的に示す縦断面図である。
【図４】（Ａ）は従来のスナップファスナー取付け機において上型カシメパンチ治具と下型カシメパンチ治具とを最接近させたときの構成を概略的に示す縦断面図、（Ｂ）は従来のスナップファスナー取付け機によって取り付けた嵌合用部材の周囲に皺が発生した様子を概略的に示す説明図である。
【発明を実施するための形態】
【００１４】
本発明の実施の形態について図面を参照しながら以下に説明する。
【００１５】
図１（Ａ）に示すスナップファスナー取付け機は、シート状部材４を挟む位置にあるリベット部材５及び嵌合用部材３（図２（Ａ）も参照）を接近移動させ、リベット部材５の突起５ａをシート状部材４に突き刺すと共に嵌合用部材３の中心部に設けられている貫通孔３ａに挿通させ、この状態で突起５ａの先端部を打撃して拡径変形させることにより、リベット部材５と嵌合用部材３とをシート状部材４を挟んだ状態でカシメ止めするように構成されたものである。そして、図１（Ａ）に示すスナップファスナー取付け機は、図３（Ａ）に示す従来のスナップファスナー取付け機とは、皺防止治具によりリベット部材５及び嵌合用部材３を保持するように構成されている点で相違し、他の点では一致するのであり、説明の重複を避けるため、以下には、主に相違点について説明する。
【００１６】
皺防止治具は、先端が尖った突起５ａを有するリベット部材５を保持するための第１保持具（下型カシメパンチ皺防止治具）６と、突起５ａに挿通させるための貫通孔３ａを中心部に有する嵌合用部材３を保持するための第２保持具（上型カシメパンチ皺防止治具）７とを具備し、第１保持具６及び第２保持具７は、リベット部材５及び嵌合用部材３を相互に対向する位置に保持するために用いられるものである。
【００１７】
図１（Ａ）、図２（Ｂ）及び（Ｃ）に示すように、第１保持具６は、保持したリベット部材５の突起５ａの先端よりも先方に突出する状態でリベット部材５を囲むように配された弾性リング（下型弾性リング）８を有し、第２保持具７は、保持した嵌合用部材３の先端面よりも先方に突出する状態で嵌合用部材３を囲むように配された弾性リング（上型弾性リング）９を有する。
【００１８】
ここで、第１保持具６、第２保持具７は、カシメパンチ治具２，１に一体成形されていてもよいし、別体で成形されて接着等の適宜の手段により一体化されていてもよい。
【００１９】
上記構成からなる皺防止治具及びこれを用いるスナップファスナー取付け機では、図１（Ｂ）に示すように、第１保持具６、第２保持具７に設けられた弾性リング８，９によりシート状部材４をしっかりと挟み込んだ状態で保持し、この状態で突起５ａによるシート状部材４の打ち抜きを行う（図１（Ｃ）参照）ようにしているので、作業安定性の向上を図りつつ、突起５ａによる打ち抜きに伴うシート状部材４における皺の発生を防止、軽減することができる。
【００２０】
なお、本発明は、上記の実施の形態に何ら限定されず、本発明の要旨を逸脱しない範囲において種々に変形して実施し得ることは勿論である。例えば、以下のような変形例を挙げることができる。
【００２１】
第１保持具６の弾性リング８と、第２保持具７の弾性リング９とは、シート状部材４を傷つけず、かつ、適宜の弾性を有していることが望ましく、例えばゴム製やウレタン製のＯリングを用いることができる。
【００２２】
また、第１保持具６の弾性リング８と、第２保持具７の弾性リング９とに、同一物（同一寸法のもの）を用いてもよいが、外径を異ならせておいてもよく、例えば、外径にシート状部材４の厚み程度の寸法差のある弾性リング８，９を用いても、シート状部材４を良好に挟み込むことが可能である。あるいは、弾性リング８，９のうち、外径が大の方の内径よりも、外径が小の方の外径が大きくなるようにしておく、とすることもできる。ここで、図２（Ｂ）及び（Ｃ）に示す例では、弾性リング８の外径を相対的に大としているが、弾性リング９の外径を相対的に大としてもよい。
【００２３】
図１（Ａ）〜（Ｃ）に示す例では、シート状部材４を挟んで上側に受具Ａ、上側カシメパンチ治具１、第２保持具７、嵌合用部材３を配し、下側に受具Ｂ、下側カシメパンチ治具２、第１保持具６、リベット部材５を配しているが、例えば、リベット部材５をシート状部材４の上側に、嵌合用部材３を下側に配するようにスナップファスナー取付け機を構成してもよく、このように、スナップファスナー取付け機の少なくとも一部の構成要素の位置関係を上下逆にするなど、構成要素の配置や機能等は適宜変更可能である。
【００２４】
なお、上記変形例どうしを適宜組み合わせてもよいことはいうまでもない。
【符号の説明】
【００２５】
１    上型カシメパンチ治具
２    下型カシメパンチ治具
３    嵌合用部材
３ａ  貫通孔
４    シート状部材
５    リベット部材
５ａ  突起
６    第１保持具
７    第２保持具
８    弾性リング
９    弾性リング
Ａ    受具
Ｂ    受具
Ｗ    皺
【図１】
2018117766.tif 000003
【図２】
2018117766.tif 000004
【図３】
2018117766.tif 000005
【図４】
2018117766.tif 000006